(57)【要約】【課題】  金庫などの現金や貴金属を保管するための保管庫や、キャッシュディスペンサ、自動販売機などの現金を扱う装置に対する破壊行為を少ないセンサで確実に検知することができる防犯装置を提供する。【解決手段】  内部に空間を有する防犯対象物内にマイクロフォン３とスピーカ９を配置し、スピーカ９から音響を発生させてそれをマイクロフォン３で拾い、防犯対象物内の音響インピーダンスの変化による音圧変化を検出する。これにより、防犯対象物全体の焼き切り行為による孔開きを容易に検知することが可能となる。【選択図】    図１
2005190080.tif 000002
【特許請求の範囲】
【請求項１】
所定の音響を発信する音響発信手段と、前記音響発信手段から発信された音響を検出する音響検出手段と、前記音響検出手段で検出された音響の検出値の変化を監視し、通常の検出値の範囲外となった時に警報を発する警報手段とを備え、少なくとも前記音響発信手段と前記音響検出手段とが、防犯対象物内に配置されることを特徴とする防犯装置。
【請求項２】
前記音響発信手段はスピーカであり、前記音響検出手段はマイクロフォンであることを特徴とする請求項１記載の防犯装置。
【請求項３】
前記音響発信手段は、可聴周波数以外の周波数の音響を発信することを特徴とする請求項１又は請求項２記載の防犯装置。
【請求項４】
有線通信回線又は無線通信回線を介して信号を送る通信手段を備え、前記警報手段は、異常を検知したときに、前記通信手段により、通報先に異常を知らせる情報を送出することを特徴とする請求項１から請求項３のいずれか１項に記載の防犯装置。
【発明の詳細な説明】
【技術分野】
【０００１】
本発明は、金庫などの現金や貴金属を保管するための保管庫や、キャッシュディスペンサ、自動販売機などの現金を扱う装置に用いて好適な防犯装置に関する。
【背景技術】
【０００２】
従来より、防犯対象物の振動を検出し、振動の状態から振動の要因を推定して、異常である場合に警報を発する防犯装置が知られている（特許文献１）。この防犯装置は、周囲の音のレベルに応じて警報信号の出力レベルを決定するようにしたものである。また、振動を検出する以外に装置内の温度上昇率に基づいてバーナやレーザ等を用いた破壊行為を推定し、警報を発するようにもしている。
【０００３】
【特許文献１】特開平５−３３４５４０号公報
【発明の開示】
【発明が解決しようとする課題】
【０００４】
ところで、上述した従来の防犯装置にあっては次のような問題があった。
すなわち、バーナやレーザ等による焼き切り行為が防犯対象物の何処に対して行われるか不明であるので、温度センサを防犯対象物の全ての壁面に取り付ける必要がある。上記公報では、温度センサの取り付けに関する記載はないので正確には判断できないが、防犯対象物の全ての面に対して取り付けなければ、破壊行為を確実に検知することは困難である。
【０００５】
したがって、防犯対象物の全ての面に対して温度センサを取り付けることになるが、これによって、装置が複雑になるとともにコスト高になる。特に、大型のキャッシュディスペンサや自動販売機等、壁の面積が広い場合には１個の温度センサでは足りないので、複数の温度センサを備えなくてはならず、更にコスト高になる。なお、他の従来技術として、光センサを用いて焼き切り時に発生する光を検出するようにしたものもあるが、この例においても上記同様の問題がある。
【０００６】
本発明は係る点に鑑みてなされたもので、金庫などの現金や貴金属を保管するための保管庫やキャッシュディスペンサ、自動販売機などの現金を扱う装置に対する破壊行為を少ないセンサで確実に検知することができる防犯装置を提供することを目的とする。
【課題を解決するための手段】
【０００７】
上記目的を達成するための本発明に係る請求項１記載の防犯装置は、所定の音響を発信する音響発信手段と、前記音響発信手段から発信された音響を検出する音響検出手段と、前記音響検出手段で検出された音響の検出値の変化を監視し、通常の検出値の範囲外となった時に警報を発する警報手段とを備え、少なくとも前記音響発信手段と前記音響検出手段とが、防犯対象物内に配置されることを特徴とするものである。
【０００８】
また、本発明に係る請求項２記載の防犯装置は、上記請求項１記載の防犯装置において、前記音響発信手段はスピーカであり、前記音響検出手段はマイクロフォンであることを特徴とするものである。
【０００９】
上記構成によれば、音響発信手段で発信した音響を音響検出手段で受信して、防犯対象物内の音響インピーダンスの変化による音圧変化を検出するので、バーナやレーザ等を使用した焼き切り行為による孔開きを容易に検知することが可能となる。また、１組の音響発信手段と音響検出手段のみで防犯対象物の全面に対する焼き切り行為による孔開きを検知できることから、安価な防犯装置の提供が可能となる。
【００１０】
また、本発明に係る請求項３記載の防犯装置は、上記請求項１又は請求項２記載の防犯装置において、前記音響発信手段は可聴周波数以外の周波数の音響を発信することを特徴とするものである。
【００１１】
この構成によれば、音響として、可聴周波数以外の周波数のものを使用するので、犯罪者（破壊行為者）に察知されることなく、破壊行為を検知することができる。
【００１２】
また、本発明に係る請求項４記載の防犯装置は、上記請求項１から請求項３のいずれかに記載の防犯装置において、有線通信回線又は無線通信回線を介して信号を送る通信手段を備え、前記警報手段は、異常を検知したときに、前記通信手段により、通報先に異常を知らせる情報を送出することを特徴としている。
【００１３】
この構成によれば、破壊行為があったときに、速やかに警察や警備会社等に通報するので、犯罪への迅速な対処が可能となる。
【発明の効果】
【００１４】
本発明によれば、音響発信手段で発信した音響を音響検出手段で拾い、防犯対象物内の音響インピーダンスの変化による音圧変化を検出するようにしたので、容易に防犯対象物全体の焼き切り行為による孔開きを検知することができる。また、一対の音響発信手段と音響信号検出手段の組み合わせで済むので、防犯対象物の全ての面にセンサを設けなければならない従来技術と比較して大幅なコストダウンが可能となる。
【発明を実施するための最良の形態】
【００１５】
以下、本発明の実施の形態について図面を用いて詳細に説明する。
【００１６】
図１は本発明の実施の形態に係る防犯装置の構成を示すブロック図、図２は本実施の形態の防犯装置の外観を示す斜視図、図３は本実施の形態の防犯装置が取り付けられた防犯対象物であるキャッシュディスペンサの外観を示す斜視図である。
【００１７】
図１において、本実施の形態に係る防犯装置１は、キャッシュディスペンサ５０（図３参照）に加えられる衝撃による振動を検知する振動検知センサ２と、マイクロフォン３と、マイクロフォン３から出力される微弱な音響信号を所定レベルまで増幅して出力する増幅器（ＡＭＰ）４と、増幅器４から出力される音響信号に含まれるノイズを除去するバンドパスフィルタ（ＢＰＦ）５と、振動検知センサ２からの検知信号をもとにキャッシュディスペンサ５０に対する打撃行為を検知するとともに、マイクロフォン３からの音響信号をもとにキャッシュディスペンサ５０に対するバーナやレーザ等を用いた破壊行為が行われたか否かを判断する制御器６と、可聴周波数（概ね１５Ｈｚ〜２０ｋＨｚの範囲の周波数）以外の周波数の音響信号を発生する発信器（ＯＳＣ）７と、この発信器７で発生された音響信号を所定レベルまで増幅する増幅器（ＡＭＰ）８と、増幅器８からの音響信号が入力されるスピーカ９と、基準となる音響信号を制御器６に記憶させるためのスイッチ１０と、を備えて構成される。
【００１８】
なお、上記発信器７、増幅器８及びスピーカ９は音響発信手段を構成し、マイクロフォン３、増幅器４及びバンドパスフィルタ５は音響検出手段を構成する。また、制御器６により破壊行為等が行われたことが判明した場合、音声、文字、画像等の警報手段１１により警報情報が通報先に送出される。
制御器６は、図示せぬＣＰＵ、ＣＰＵを動作させるためのプログラムが書き込まれたＲＯＭ、ＣＰＵの動作において使用されるＲＡＭを有して構成される。マイクロフォン３とスピーカ９は、図２に示すように、防犯装置１本体内に離間させた状態で配置される。防犯装置１本体は防犯対象物であるキャッシュディスペンサ５０内部の任意の箇所に取り付け可能であり、図３に示したものでは、キャッシュディスペンサ５０内の現金保管場所内の前面に取り付けた例である。
【００１９】
制御器６は、マイクロフォン３からの音声信号をもとにキャッシュディスペンサ５０に対するバーナやレーザ等を用いた破壊行為が行われたか否かの判断を行うとともに、マイクロフォン３で拾った音響から破壊行為を検知するために、比較対象となる音響信号の記憶設定を行う。この比較対象となる音響信号は、防犯装置１をキャッシュディスペンサ５０に取り付ける際、スイッチ１０を所定時間継続して押し続けることで制御器６内のメモリ（図示略）に記憶される。この場合、スイッチ１０を所定時間継続して押し続けることで基準値設定モードが設定され、この基準値設定モードにおいて、制御器６は発信器７を動作させてスピーカ９からの音響信号を発生させた後、マイクロフォン３を通して音響を拾い、音響の信号レベルを記憶する。基準となる音響信号レベルを記憶した後、制御器６は基準値設定モードから通常の監視モードに切り替える。この基準値設定モードにより、如何なる形状の防犯対象物でもその内部容量に見合った基準音響信号レベルを設定することができる。
【００２０】
監視モードに移行すると、制御器６は、発信器７を動作させてスピーカ９から発せられる音響を、マイクロフォン３を通して拾い、記憶しておいた基準音響信号レベルと比較する。この際、キャッシュディスペンサ５０への焼き切り行為による孔開きがあると、キャッシュディスペンサ５０内の音響インピーダンスが変化して音圧が変化し、基準音響信号レベルとの差が大きくなる。これにより、制御器６は異常が生じたと判断して警報を発する。
【００２１】
ここで、監視モードにおける処理をフローチャートで表すと、図４のようになる。まずステップ１でマイクロフォンを通して拾った音響信号の読み込みを行い、ステップ２でマイクロフォンを通して拾った音響信号レベルと制御器６内にメモリされている基準音響信号レベルを比較し、基準音響信号レベルより低いレベルの音響信号と判断された場合には、焼き切り行為等が行われたと判断してステップ３で警報を行う。一方、読み込みを行った音響信号のレベルが基準音響信号レベルと同等か同等以上であれば、ステップ１に戻る。
【００２２】
次に、図５及び図６は、音圧レベルの変化で箱型筐体に開けられた孔の有無を検出可能かどうかを調査した結果である。箱形筐体の内部にはマイクロフォン３とスピーカ９とを備えた防犯装置１が配置されている。図５において、試験に用いた筐体のサイズは、縦４００ｍｍ、横４００ｍｍ、奥行き４００ｍｍであり、火炎装置（バーナ）を用いて１０ｍｍづつ孔を開口し、それぞれにおいて、音圧レベルを測定した。音響信号としては、５Ｈｚ、１０Ｈｚ、２０Ｈｚの３種類についてスピーカ９から発信させて、マイクロフォン３で音響検知を行った。図６のグラフに示すように、少しでも孔が開くと、各周波数のいずれにおいても音圧レベルが大きく下がるのがわかる。この試験結果からわかるように、音圧レベルの変化で筐体に開けられた孔の有無を十分に検知することが可能である。なお、図６のグラフにおいて、縦軸は孔の開口断面（ｃｍ2）、縦軸は音圧（ｄＢ）である。
【００２３】
このように、本実施の形態の防犯装置によれば、キャッシュディスペンサ５０内の音響インピーダンスの変化による音圧変化を検出するようにしたので、１組のマイクロフォン３とスピーカ９のみで、バーナやレーザ等を用いた焼き切り行為による孔開きを容易に検知することができる。また、防犯対象物の全ての面にセンサを設けなければならない従来技術と比較して大幅なコストダウンが可能となる。
【００２４】
なお、上記実施の形態では、異常があった場合に警報を鳴らすようにしたが、制御器６、に有線通信回線又は無線通信回線を介して信号を送る通信機能を持たせるか、あるいは別に通信手段を設けて、異常を検知したときに警備会社又は警察に通報するようにしてもよい。
【図面の簡単な説明】
【００２５】
【図１】本発明の実施の形態に係る防犯装置の構成を示すブロッ図である。
【図２】同実施の形態に係る防犯装置の外観を示す斜視図である。
【図３】同実施の形態に係る防犯装置の取り付け例を示す図である。
【図４】同実施の形態に係る防犯装置の動作を説明するためのフローチャートである。
【図５】本発明の原理を説明するための箱型筐体を示す斜視図である。
【図６】図５の箱型筐体による孔の有無の試験結果を示すグラフである。
【符号の説明】
【００２６】
１  防犯装置
２  振動検知センサ
３  マイクロフォン
４、８  増幅器（ＡＭＰ）
５  バンドパスフィルタ（ＢＰＦ）
６  制御器
７  発信器（ＯＳＣ）
９  スピーカ
１０  スイッチ
１１  警報手段
５０  キャッシュディスペンサ
【図１】
2005190080.tif 000003
【図２】
2005190080.tif 000004
【図３】
2005190080.tif 000005
【図４】
2005190080.tif 000006
【図５】
2005190080.tif 000007
【図６】
2005190080.tif 000008